(57)【要約】【課題】正イオン及び負イオンを共に利用して、手軽に毛髪を加湿して毛髪の傷みを改善する毛髪の加湿及び損傷軽減方法の提供。【解決手段】電圧を印加されることにより電極間で放電して水分子と結合した正イオンを発生させる正イオン発生手段１０ｂと、電圧を印加されることにより電極間で放電して水分子と結合した負イオンを発生させる負イオン発生手段１０ａとを用意し、正イオン発生手段１０ｂ及び負イオン発生手段１０ａがそれぞれ発生させた正イオン及び負イオンを、毛髪に照射することにより毛髪を加湿し、毛髪の傷みを軽減する。【選択図】図２
2015213843.tif 000002
【特許請求の範囲】
【請求項１】
電圧を印加されることにより電極間で放電して水分子と結合した正イオンを発生させる正イオン発生手段と、電圧を印加されることにより電極間で放電して水分子と結合した負イオンを発生させる負イオン発生手段とを用意し、前記正イオン発生手段及び負イオン発生手段がそれぞれ発生させた正イオン及び負イオンを、毛髪に照射することにより該毛髪を加湿し、該毛髪に発生する損傷を軽減することを特徴とする毛髪の加湿及び損傷軽減方法。
【請求項２】
前記正イオンは、Ｈ＋（Ｈ２Ｏ）ｍ（ｍは任意の自然数）であり、前記負イオンは、Ｏ２−（Ｈ２Ｏ）ｎ（ｎは任意の自然数）である請求項１記載の毛髪の加湿及び損傷軽減方法。
【請求項３】
前記正イオン発生手段及び負イオン発生手段がそれぞれ発生させた正イオン及び負イオンを含めて送風する送風機構を用意し、該送風機構が送風する請求項１又は２記載の毛髪の加湿及び損傷軽減方法。
【請求項４】
電圧を印加されることにより電極間で放電して水分子と結合した正イオンを発生させる正イオン発生手段と、電圧を印加されることにより電極間で放電して水分子と結合した負イオンを発生させる負イオン発生手段とを備え、前記正イオン発生手段及び負イオン発生手段がそれぞれ発生させた正イオン及び負イオンを毛髪に照射するように構成してあることを特徴とする毛髪の加湿及び損傷軽減装置。
【請求項５】
前記正イオンは、Ｈ＋（Ｈ２Ｏ）ｍ（ｍは任意の自然数）であり、前記負イオンは、Ｏ２−（Ｈ２Ｏ）ｎ（ｎは任意の自然数）である請求項４記載の毛髪の加湿及び損傷軽減装置。
【請求項６】
前記正イオン発生手段及び負イオン発生手段は、発生させる正イオンの量及び負イオンの量をそれぞれ変更可能に構成してある請求項４又は５記載の毛髪の加湿及び損傷軽減装置。
【請求項７】
前記正イオン発生手段及び負イオン発生手段がそれぞれ発生させた正イオン及び負イオンを含めて送風する送風機構を更に備える請求項４から６迄の何れか１つに記載の毛髪の加湿及び損傷軽減装置。
【請求項８】
前記送風機構は、送風対象物の位置で風速１５ｍ／ｓ以下で送風するように構成してある請求項７記載の毛髪の加湿及び損傷軽減装置。
【請求項９】
前記送風機構が送る風を加温する加湿手段を更に備える請求項７又は８記載の毛髪の加湿及び損傷軽減装置。
【発明の詳細な説明】
【技術分野】
【０００１】
本発明は、イオンにより毛髪に水分を与えて毛髪の状態を改善する毛髪の加湿及び損傷軽減方法並びに毛髪の加湿及び損傷軽減装置に関するものである。
【背景技術】
【０００２】
多くの女性が美容に関して様々な悩みを持っており、その代表的な一つに毛髪のダメージという問題がある。毛髪のダメージとは、主に毛髪の乾燥により引き起こされる。毛髪の乾燥は、単にパサツキ感が生じるだけでなく、静電気を発生させやすくなり毛髪全体のまとまりがなくなる、チリやホコリが付着しやすくなる、等の問題を生じさせる。
【０００３】
古くからヘアケアの手段として、ヘアコンディショナー等の化粧品が販売されている。これらの化粧品の基本的な働きは、毛髪の表面を滑らかにすることである。そうすることで、毛髪同士の摩擦力が減り、柔らかく感じられるようになり、また、光反射の効率が良くなり、毛髪にツヤ（光沢）が得られるようになる。
ヘアコンディショナーは、カチオン性界面活性剤を主成分とする。カチオン性界面活性剤は、マイナスに帯電している毛髪に吸着し易い為である。この性質を利用し、界面活性剤で毛髪を覆い、表面を滑らかにしている。
以上のような、化粧品を使用する方法は、処理の面倒さに加えて、乾燥した環境では効果が持続しないなど、効果が一時的であることが問題である。
【０００４】
一方、近年、自宅で簡単にヘアケアができる美容機器も商品化されている。例えば、特許文献１，２には、イオンを発生させるヘアドライヤー、ヘアアイロンなどの美容機器が開示され商品化されている。これらの機器では、負に帯電したイオンにより毛髪状態を改善するとされている。しかし、濡れた毛髪、傷んだ毛髪の場合、負に帯電している為、負イオンを発生させても毛髪への吸着効率は低い。
一方、乾燥した毛髪の場合、特に、ブラッシングをしながら乾燥させた場合、毛髪とブラシとの摩擦によって毛髪は正に帯電する為、負イオンを多く発生させると、イオンの毛髪への吸着効率が高くなる。
【０００５】
また、特許文献３には、正イオン、負イオンを共に発生させるヘアドライヤーが開示されているが、特許文献１，２に開示されたものと同様に、毛髪の帯電現象を解消することにより毛髪の傷みを改善しようとするものである。
【先行技術文献】
【特許文献】
【０００６】
【特許文献１】特開２００３−２７５０１１号公報
【特許文献２】特開２００４−５５３５１号公報
【特許文献３】特開２００８−４９１０１号公報
【発明の概要】
【発明が解決しようとする課題】
【０００７】
上述したように、従来のイオンを発生させてヘアケアする美容機器は、毛髪の帯電現象を解消することにより毛髪の傷みを改善しようとするものであり、正イオン及び負イオンを共に発生させて、正イオン及び負イオンにより毛髪に湿度を与えて、毛髪の傷みを改善しようとするものは提案されていない。
また、通常洗った髪を乾かしスタイリングするとき等に、より重大な損傷である枝毛、切れ毛などを引き起こすことが知られているが、薬剤を用いたパック等の方法を除いては
、それらを改善する方法については全く提案されていない。
また、ヘアケアする美容機器の使用時において、リラックス効果を得たい場合に負イオンを多く発生させる等、場合に応じて発生させるイオンを変化させられることが望まれる。
【０００８】
本発明は、上述したような状況に鑑みてなされたものであり、正イオン及び負イオンを共に利用して、手軽に毛髪を加湿して毛髪の傷みを改善し、洗った髪を乾かしスタイリングするとき等に起き易い、より重大な枝毛、切れ毛のような毛髪の損傷を軽減する毛髪の加湿及び損傷軽減方法並びに毛髪の加湿及び損傷軽減装置を提供することを目的とする。
【課題を解決するための手段】
【０００９】
本発明に係る毛髪の加湿及び損傷軽減方法は、電圧を印加されることにより電極間で放電して水分子と結合した正イオンを発生させる正イオン発生手段と、電圧を印加されることにより電極間で放電して水分子と結合した負イオンを発生させる負イオン発生手段とを用意し、前記正イオン発生手段及び負イオン発生手段がそれぞれ発生させた正イオン及び負イオンを、毛髪に照射することにより該毛髪を加湿し、該毛髪に発生する損傷を軽減することを特徴とする。
【００１０】
本発明に係る毛髪の加湿及び損傷軽減方法は、前記正イオンは、Ｈ＋（Ｈ２Ｏ）ｍ（ｍは任意の自然数）であり、前記負イオンは、Ｏ２−（Ｈ２Ｏ）ｎ（ｎは任意の自然数）であることを特徴とする。
【００１１】
本発明に係る毛髪の加湿及び損傷軽減方法は、前記正イオン発生手段及び負イオン発生手段がそれぞれ発生させた正イオン及び負イオンを含めて送風する送風機構を用意し、該送風機構が送風することを特徴とする。
【００１２】
本発明に係る毛髪の加湿及び損傷軽減装置は、電圧を印加されることにより電極間で放電して水分子と結合した正イオンを発生させる正イオン発生手段と、電圧を印加されることにより電極間で放電して水分子と結合した負イオンを発生させる負イオン発生手段とを備え、前記正イオン発生手段及び負イオン発生手段がそれぞれ発生させた正イオン及び負イオンを毛髪に照射するように構成してあることを特徴とする。
【００１３】
本発明に係る毛髪の加湿及び損傷軽減方法並びに毛髪の加湿及び損傷軽減装置では、正イオン発生手段が、電圧を印加されることにより電極間で放電して水分子と結合した正イオンを発生させ、負イオン発生手段が、電圧を印加されることにより電極間で放電して水分子と結合した負イオンを発生させる。正イオン発生手段及び負イオン発生手段がそれぞれ発生させた正イオン及び負イオンを毛髪に照射する。
【００１４】
本発明に係る毛髪の加湿及び損傷軽減装置は、前記正イオンは、Ｈ＋（Ｈ２Ｏ）ｍ（ｍは任意の自然数）であり、前記負イオンは、Ｏ２−（Ｈ２Ｏ）ｎ（ｎは任意の自然数）であることを特徴とする。
【００１５】
本発明に係る毛髪の加湿及び損傷軽減装置は、前記正イオン発生手段及び負イオン発生手段は、発生させる正イオンの量及び負イオンの量をそれぞれ変更可能に構成してあることを特徴とする。
【００１６】
この毛髪の加湿及び損傷軽減装置では、正イオン発生手段及び負イオン発生手段は、発生させる正イオンの量及び負イオンの量をそれぞれ変更可能にしてある。
【００１７】
本発明に係る毛髪の加湿及び損傷軽減装置は、前記正イオン発生手段及び負イオン発生
手段がそれぞれ発生させた正イオン及び負イオンを含めて送風する送風機構を更に備えることを特徴とする。
【００１８】
本発明に係る毛髪の加湿及び損傷軽減方法並びに毛髪の加湿及び損傷軽減装置では、送風機構が、正イオン発生手段及び負イオン発生手段がそれぞれ発生させた正イオン及び負イオンを含めて送風する。
【００１９】
本発明に係る毛髪の加湿及び損傷軽減装置は、前記送風機構は、風速１５ｍ／ｓ以下で送風するように構成してあることを特徴とする。
【００２０】
この毛髪の加湿及び損傷軽減装置では、送風機構は、風速１５ｍ／ｓ以下で送風する。
【００２１】
本発明に係る毛髪の加湿及び損傷軽減装置は、前記送風機構が送る風を加温する加温手段を更に備えることを特徴とする。
【００２２】
この毛髪の加湿及び損傷軽減装置では、加温手段が、送風機構が送る風を加温する。
【発明の効果】
【００２３】
本発明に係る毛髪の加湿及び損傷軽減方法によれば、放電により発生する正負イオンを照射することにより毛髪に水分を与え、静電気を除去し、美髪効果をもたらすので、薬剤を購入するコスト及び手間が不要で、取扱いも簡単であり、正イオン及び負イオンを共に利用して、手軽に毛髪を加湿して毛髪の傷みを改善する毛髪の加湿及び損傷軽減方法を実現することができる。これらの正イオン及び負イオンは水分子と結合しており、これらの水分子が毛髪に付着し水分が与えられる。また、正イオン及び負イオンを共に発生させる為、毛髪が何れの極性に帯電していても、十分な数のイオンによる水分付与効果を得ることができる。
【００２４】
本発明に係る毛髪の加湿及び損傷軽減装置によれば、放電により発生する正負イオンを照射することにより毛髪に水分を与え、静電気を除去し、美髪効果をもたらすので、薬剤を購入するコスト及び手間が不要であり、正イオン及び負イオンを共に利用して、手軽に毛髪を加湿して毛髪の傷みを改善する毛髪の加湿及び損傷軽減装置を実現することができる。これらの正イオン及び負イオンは水分子と結合しており、これらの水分子が毛髪に付着し水分が与えられる。また、正イオン及び負イオンを共に発生させる為、毛髪が何れの極性に帯電していても、十分な数のイオンによる水分付与効果を得ることができる。
また、本発明に係る毛髪の加湿及び損傷軽減装置によれば、正イオン及び負イオンの各発生量を自由に変更できるので、周囲の温湿度条件及び毛髪の状態に合わせて、効率よくイオンの効果を得ることができる。
【図面の簡単な説明】
【００２５】
【図１】本発明に係る毛髪の加湿及び損傷軽減方法並びに毛髪の加湿及び損傷軽減装置の実施の形態である美容機器の外観を示す斜視図である。
【図２】図１に示す美容機器の内部構成を示す透視図である。
【図３】イオン発生装置の外観例を示す斜視図である。
【図４】イオン発生装置の構成例を示す回路図である。
【図５】無風時の毛髪サンプルの水分量の変化を計測した結果を示すグラフである。
【図６】風速約３ｍ／ｓ時の毛髪サンプルの水分量の変化を計測した結果を示すグラフである。
【図７】本発明に係る美容機器のイオン発生装置の構成例を示す回路図である。
【図８】本発明に係る毛髪の加湿及び損傷軽減方法並びに毛髪の加湿及び損傷軽減装置の実施の形態である業務用ヘアドライヤーの概略構成を示す説明図である。
【図９】イオン発生装置の外観例を示す斜視図である。
【図１０】風速約８ｍ／ｓ時の毛髪サンプルの水分量を計測した結果を示すグラフである。
【図１１】風速約１５ｍ／ｓ時の毛髪サンプルのダメージ毛髪発生数を計測した結果を示すグラフである。
【発明を実施するための形態】
【００２６】
以下に、本発明をその実施の形態を示す図面に基づき説明する。
（実施の形態１）
図１は、本発明に係る毛髪の加湿及び損傷軽減方法並びに毛髪の加湿及び損傷軽減装置の実施の形態である美容機器の外観を示す斜視図であり、図２は、該美容機器の内部構成を示す透視図である。
この美容機器は、内部に空気流路３が形成された略筒形状を有しており、空気流路３の下流側には、空気を吐出する吐出口１が形成され、上流側には空気を吸入する吸入口２が形成されている。空気流路３は、吸入口２より吐出口１に至る流路であり、空気流路３内には、シロッコファン及びシロッコファンを駆動するモータを備えた送風機構４が設けてあり、シロッコファンの吸込み口が吸入口２となっている。
【００２７】
送風機構４は、吸入口２より空気を吸入して空気流路３内に導入し、空気流路３の下流側に空気を通流させる。空気流路３の送風機構４より下流側の部分には、空気流路３を流れる空気を加熱する為の加熱部５が設けてある。加熱部５は、絶縁板と絶縁板の外側に巻線されたヒータ線とで構成されている。
また、空気流路３の送風機構４より下流側で且つ加熱部５より上流側の部分からは、二つの分流路３ａ，３ｂが分岐している。分流路３ａ，３ｂは、空気流路３の側面から外方に連設された筒形状の突出筒体７ａ，７ｂの内部に形成され、分流路３ａ，３ｂの入口で本体の空気流路３と連通している。
【００２８】
二つの分流路３ａ，３ｂ内には、正イオン、負イオンをそれぞれ発生させるイオン発生部１０ａ，１０ｂが各々設けてあり、イオン発生部１０ａ，１０ｂが発生させた正イオン、負イオンは、個別に風と共に毛髪へ向けて送られる。
空気流路３の吸入口２側には、空気流路３の長手方向と略直角方向に柄２１が設けられ、柄２１の使用者が握る部分には、操作スイッチ６が設けられている。柄２１の内部には、イオン発生部１０ａ，１０ｂを含むイオン発生装置の本体ケース１４が収納されている。
【００２９】
図３は、イオン発生装置１０の外観例を示す斜視図である。
イオン発生装置１０は、その回路部を収納する本体ケース１４と、イオン発生部１０a
，１０ｂとを備えている。イオン発生部１０a，１０ｂは、略半球形状であり、その半球
の平面部には、例えば直径８ｍｍ程度の円形状に形成されたイオンの放出孔１４ａ，１４ｂが開口し、半球の頂部は、高圧電線により本体ケース１４に接続されている。
放出孔１４ａ，１４ｂ内の略中心には、針形状の放電電極１１ａ，１１ｂが、放出孔面を直角方向に貫く態様で配設されている。また、放電電極１１ａ，１１ｂの周囲には、環状の対向電極１２ａ，１２ｂが、放出孔１４ａ，１４ｂに沿って対向配置されている。
【００３０】
図４は、イオン発生装置１０の構成例を示す回路図である。
このイオン発生装置１０は、対向電極１２ａ，１２ｂ及び放電電極１１ａ，１１ｂが、本体ケース１４内に収納された高圧電源部１３に接続されている。
高圧電源部１３は、コンセントを通じてＡＣ１００Ｖ電源１５に接続され、コンセントの一方のプラグには、ダイオードＤ１のアノードが接続され、ダイオードＤ１のカソードには、抵抗Ｒ１を通じて、コンデンサＣ１の一方の端子、及び二端子型サイリスタＤ２の
アノードが接続されている。コンセントの他方のプラグには、コンデンサＣ１の他方の端子が接続され、二端子型サイリスタＤ２のカソード及びコンセントの他方のプラグ間には、変圧器１６の一次側コイルが接続されている。
【００３１】
変圧器１６の二次側コイルの一方の端子は、イオン発生部１０ａのダイオードＤ３のカソードに接続され、ダイオードＤ３のアノードは、放電電極１１ａに接続されている。変圧器１６の二次側コイルの一方の端子は、また、イオン発生部１０ｂのダイオードＤ４のアノードに接続され、ダイオードＤ４のカソードは、放電電極１１ｂに接続されている。
変圧器１６の二次側コイルの他方の端子は、対向電極１２ａ，１２ｂに接続されている。
【００３２】
一方の放電電極１１ａに接続された高圧電源部１３は、負の高圧パルス電圧（例えば、周波数６０Ｈｚ、尖頭電圧約−２ｋＶ）を発生させる。他方の放電電極１１ｂに接続された高圧電源部１３は、正の高圧パルス電圧（例えば、周波数６０Ｈｚ、尖頭電圧約２ｋＶ）を発生させる。これにより、放電電極１１ａ，１１ｂの先端部と対向電極１２ａ，１２ｂとの間で放電が起こり、プラズマが発生する。生成したプラズマにより、空気中の酸素（Ｏ２−）及び水（Ｈ２Ｏ）等の分子がエネルギーを受ける。
【００３３】
放電電極への印加電圧が正電圧の場合は、空気中の水分子が電離して水素イオン（Ｈ＋）が生成する。この水素イオンが空気中の水分子とクラスタリングして（群がって結合して）、Ｈ＋（Ｈ２Ｏ）ｍ（ｍは任意の自然数）から成る正イオンが主として発生する。そして、放電電極１１ｂを配した放出孔１４ｂから正イオンが放出される。
【００３４】
放電電極への印加電圧が負電圧の場合は、空気中の酸素分子又は水分子が電離して酸素イオンＯ２−が生成する。この酸素イオンが空気中の水分子とクラスタリングして、Ｏ２−（Ｈ２Ｏ）ｎ（ｎは任意の自然数）から成る負イオンが主として発生する。そして、放電電極１１ａを配した放出孔１４ａから負イオンが放出される。
【００３５】
本実施の形態１においては、正イオン発生部と負イオン発生部とが、空気流路３及び吹出口１に対して互いに反対の位置になるように配置しているが、正イオン発生部と負イオン発生部とは、それぞれが発生させたイオンが逆極性イオンの引力で結合して消滅することなく、吹出口１から送出される気流に乗って使用者の髪に到達すれば良いので、互いにもっと近寄っていても構わない。
発明者等の確認では、正イオン発生部及び負イオン発生部が、気流の送出方向に直行する方向に約２０ｍｍ離れていれば、イオンの効果は発揮される。
【００３６】
更に、正イオン発生部及び負イオン発生部をもっと近付けて、互いに接する程度に配置したとしても、結合によりイオンの一部が消滅することは避けられないものの、イオン送出量が減少するだけで、効果そのものが失われるわけではない。正イオン発生部及び負イオン発生部は、正イオンと負イオンとが、互いに吹出口１から送出される気流によって運ばれるように配置することが好ましい。
【００３７】
以下に、このような構成の美容機器の動作を説明する。
この美容機器は、操作スイッチ６がオンされると、送風機構４及びイオン発生装置１０が起動する。この際、送風機構４は、対象物の位置で風速１５ｍ／ｓ以下で送風する。
送風機構４は、吸入口２から吸い込んだ空気を吐出口１から送出する。髪を乾燥するときに使用する温風を生成させる「乾燥動作」のときは、加熱部５が稼働する。
また、イオン発生部１０a、１０ｂからは、それぞれ負イオン、正イオンがそれぞれ単
独で放出される。発生したイオンは、分流路３a、３ｂを経由して流入した空気により前
方へ放出され、吐出口１から送出される気流に乗って使用者の髪に照射される。
【００３８】
本実施の形態１の美容機器では、保湿運転動作と乾燥運転動作が選択可能に構成され、保湿運転動作時は、送風機構４及びイオン発生装置１０が作動する。また、乾燥運転動作時は、送風機構４及び加熱部５が作動する。
正イオンＨ＋（Ｈ２Ｏ）ｍと負イオンＯ２−（Ｈ２Ｏ）ｎとの結合により発生する水分及び両イオンにクラスタリングしている水分は、一般的に認識される水と異なり、分子レベルの大きさである為、髪の表面組織に関係なく、内部にまで浸透することで、水分量を直接的に増加させるものと考えられる。
【００３９】
また、一般的に、放電によるイオン発生装置では、様々な種類のイオンが発生し得るが、毛髪への影響を考えると、窒素酸化物の発生は少ないほうが好ましい。
また、イオン反応により生成し髪に吸着した水、又はイオンにクラスタリングして髪に吸着した水は、加温により分子運動が活性化され、空気中への拡散が起こるので、保湿運転動作時には、加熱部５は起動されない方が好ましい。
また、これとは逆に、乾燥運転の時には、発生した両イオンは単に電荷として作用する為、髪が有する電荷と逆極性のイオンが主に髪に吸着して、帯電を解消する。一般的に、毛髪は正極に帯電し易い為、送出された負イオンが髪に吸着し、正イオンは反発される。
【００４０】
以上、記述したように、乾燥運転時には保湿効果は期待されないが、除電効果が得られるので、イオン発生装置１０は常に作動できるように構成することが好ましい。
従って、「乾燥運転」モードを設けて、送風機構４、加熱部５及びイオン発生装置を作動させ、「保湿運転」モードを設けて送風機構４及びイオン発生装置１０のみを作動させるように構成しておくと、使用者への利便性が向上する。
【００４１】
また、自動運転では無く、全て使用者が選択可能にしておくこともあり得る。送風機構４の風量を「強」、「弱」、「停止」と選択可能にし、イオン発生装置１０の「運転」、「停止」、加熱部５の「運転」、「停止」が選択可能に構成されるのが好ましい。一般的には、操作スイッチ６を多回路スイッチとするか、機能手段毎にオン／オフするスイッチを別途設けることとするが、周知事項なので詳細は省略する。
【００４２】
（実施の形態２）
毛髪の帯電は、季節や髪質により変化する為、実施の形態１に加えて、イオン発生装置１０は、使用者によりイオン発生量を変化させることが可能な構成となっているのが好ましい。
また、同様に、送風機構４の送風量を変更可能な構成とする方が、使用者への利便性が増すが、この場合にも、送風量が多くてもイオン濃度が保てるように、イオン発生装置１０のイオン発生量を増量することが好ましい。
【００４３】
一般的に、イオン発生装置１０のイオン発生量は、放電電極１１ａ，１１ｂに印加する電圧を変化させなくても、イオン発生部１０ａ，１０ｂを通過する風量が増加することにより、自然に増加する。しかし、必ずしも期待されるイオン濃度になるとは限らないので、放電電極１１ａ，１１ｂに印加するパルスを変更可能に構成しておくのが好ましい。
【００４４】
図７は、本発明に係る実施の形態２である美容機器のイオン発生装置の構成例を示す回路図である。
このイオン発生装置１０ｃは、図４に示すイオン発生装置１０の構成に、コンピュータ制御で導通するスイッチング素子を外部に追加した例である。
【００４５】
このスイッチング素子は、ＮＰＮ型トランジスタＴＲであり、ベースが抵抗Ｒ３を通じてマイクロコンピュータ（マイコン）の出力端子に接続され、コレクタが抵抗Ｒ２を通じ
て、フォトカプラ１７の発光ダイオードＤ５のカソードに接続されている。トランジスタＴＲのベース―エミッタ間に抵抗Ｒ４が接続され、エミッタには、１２Ｖのバッテリ１９のマイナス極が接続されている。バッテリ１９のプラス極は、発光ダイオードＤ５のアノードに接続されている。
フォトカプラ１７の受光側（出力側）は、フォト双方向ダイオードＴであり、フォト双方向ダイオードＴは、ＡＣ１００Ｖ電源の他方の端子、及びコンデンサＣ１の他方の端子間に接続されている。
【００４６】
スイッチング素子ＴＲをイオン発生装置１０ｃの本体回路内に取込むことも可能である。スイッチング素子ＴＲをイオン発生装置１０ｃ本体に収納して、イオン発生装置１０ｃに供給される電源を、マイクロコンピュータにより任意のタイミングでオン／オフすることにより、イオン発生部１０ａ，１０ｂに印加されるパルスの個数を変更できる。
一般に、パルスの個数が多くなると、イオン発生量は増加し、パルスの個数が減少すると、イオン発生量が減少する。使用者の利便性向上の為に、美容機器の本体にイオン増量及び減量を画一で指定する手段、つまり、「増量／減量」切替スイッチ、「増量」ボタン、「減量」ボタン等を設けておくのが一般的である。
【００４７】
（実施の形態３）
図８は、本発明に係る毛髪の加湿及び損傷軽減方法並びに毛髪の加湿及び損傷軽減装置の実施の形態３である業務用ヘアドライヤーの概略構成を示す説明図である。
業務用ヘアドライヤーとは、図８Ｂに示すように、使用者の頭部をすっぽりと覆うように被る、ヘアサロン等で使用される大型の髪乾燥機である。
【００４８】
図８Ａに示す業務用ヘアドライヤー２０は、ドーム筐体２０１の上部に、空気を吸い込む為の複数の開口２０７が円形状に配値形成され、ドーム筐体２０１内の上部に送風機２０２と加熱装置２０３とが設けられている。また、送風機２０２及び加熱装置２０３との間を仕切る穴開き円盤形状の仕切り板２０５が、使用者の頭部を入れる空間２０６を形成する。各開口２０７には、吸い込まれる空気を加湿する為の、保水機能を有するスポンジ等を備えた加湿部２０８が付設されている。
仕切り板２０５の下面には、複数のイオン発生装置２０４が配置されている。ここで使用するイオン発生装置２０４は、正イオン発生部と負イオン発生部とを備え、高圧回路を内蔵するユニット型である。
【００４９】
図９は、イオン発生装置２０４の外観例を示す斜視図である。
このイオン発生装置２０４は、複数個が、仕切り板２０５（図８）中央の開口部を中心にして、円形状に配置され、空間２０６（図８）に十分な量のイオンを供給する。
このイオン発生装置２０４は、正イオン発生部２０４ａと負イオン発生部２０４ｂとを備え、正イオン発生部２０４ａ及び負イオン発生部２０４ｂにそれぞれ対向するように、穴開き板金で形成された誘導電極２０４ｃが設けられている。正イオン発生部２０４ａ及び負イオン発生部２０４ｂは、それぞれ針状の放電電極であり、誘導電極２０４ｃとの間に高電圧が印加されることで、イオンが発生する。
【００５０】
業務用ヘアドライヤー２０においても、必要とされる機能は、実施の形態１，２の各場合と特に変わりはなく、空気を加熱して髪を乾燥させる「温風乾燥モード」と、空気を加熱しないで髪を乾燥させる「冷風乾燥モード」を備えている。
実施の形態１，２の各場合と同様に、「温風乾燥モード」では髪の帯電を除去することで髪をまとめ易くする効果が期待される。
従って、「温風乾燥モード」においても、送風機２０２、加熱装置２０３及びイオン発生装置２０４が作動する。
【００５１】
また、「冷風乾燥モード」では、髪に水分を供給して髪質を改善する効果が期待され、送風機２０２及びイオン発生装置２０４が作動する。
また、季節や髪質によっても異なる乾燥条件を調節する為に、実施の形態１，２の各場合と同様に、イオンの量を変更するイオン量調節手段を設けるのが好ましい。
何れの運転モードにおいても、ドーム筐体２０１の上部に配値された複数の開口２０７から空気が吸い込まれて、仕切り板２０５とドーム筐体２０１内壁との間隙から空間２０６に送風される。
また、一般に、業務用のヘアドライヤーでは、乾燥時間を制御する為に、タイマ装置（図示せず）が設けられると共に、加熱の度合いを制御する為の温度設定装置（図示せず）が設けられるが、周知事項であり説明は省略する。
【００５２】
（検証１）
以下に、イオン発生部１０ａ，１０ｂが生成させた正イオン、負イオンを含む空気と含まない空気とによる毛髪の水分量の変化を実験したので、その結果を説明する。
【００５３】
（実験方法）
ダメージ毛髪（人毛）サンプルの作製
１５ｃｍ、２ｇの黒い毛髪束を，ポリオキシエチレン（ＰＯＥ）ラウリル硫酸ナトリウム１％水溶液に，３０〜３５℃で１分間浸漬させた。
流水にて水洗後、タオルで水分を拭き取った後，ドライヤーにて乾燥させた。
４．５％過酸化水素水及び２．５％アンモニア水の１：１混合液に、毛髪を２０分間浸漬させ、流水にて水洗後、タオルで水分を拭き取った後、ドライヤーにて乾燥させた。
【００５４】
イオン照射
室温２０±２℃、湿度５０±５％の部屋で、毛髪サンプルに異なる濃度のイオンを照射した。
水分量の測定
イオン照射後の毛髪サンプルを２ｇ計り取り、６５℃で４０分間加熱した。このとき減少した重量を全て水分量と見做し、ここで減少した水分を一次蒸散水とした。
更に、１８０℃で３０分間加熱し、重量を測定した。ここで減少した水分量を二次蒸散水とした。
得られた値より、毛髪の乾燥重量(１８０℃で３０分間加熱後の毛髪重量)に対する二次蒸散水分量(二次蒸散水分率)を求めた。
【００５５】
（実験１）
毛髪サンプルに照射されるイオン濃度が、正負各々１００，０００個／ｃｍ3 になるように、イオン発生素子とイオン拡散させるファンとからなるイオン発生装置から５０ｃｍの位置に、ダメージ処理を施した毛髪サンプルを設置し８時間照射した。サンプル位置での風速は０．０５ｍ／ｓであり、無風と同等である為、自然放置を対照とした。
【００５６】
この様にして、毛髪サンプルの水分量の変化を計測した結果を図５に示す。図５に示すグラフは、正負イオンを含有する空気を当てた毛髪と、イオンを含まない空気中で自然放置した毛髪との水分量の経時変化を表している。
このグラフによると、正負イオンを照射した毛髪は、イオン照射前と比較して、１１５．１％の水分量となり、逆に、風のみを照射した毛髪は、６８．２％の水分量となった。イオンを照射した毛髪は、イオンを照射しないものに比べて、水分量が増加する結果が得られた。
【００５７】
（実験２）
毛髪サンプルに照射されるイオン濃度が、正負各々３，０００，０００個／ｃｍ3 にな
るように、イオン発生素子とイオン拡散させるファンとからなるイオン発生装置から１０ｃｍの位置に、ダメージ処理を施した毛髪サンプルを設置し８時間照射した。サンプル位置での風速は２．９ｍ／ｓであった為、同じファンを用いて送風のみ行ったものを対照とした。
【００５８】
この様にして、毛髪サンプルの水分量の変化を計測した結果を図６に示す。図６に示すグラフは、正負イオンを含有する空気を当てた毛髪と、イオンを含まない空気のみを当てた毛髪との水分量の経時変化を表している。
このグラフによると、正負イオンを照射した毛髪は、イオン照射前と比較して約１１３．２％の水分量となり、逆に、風のみを照射した毛髪は、８８．３％の水分量となった。イオンを照射した毛髪は、イオンを照射しないものに比べて水分量が増加する結果が得られた。
【００５９】
（実験３）
毛髪サンプルに照射されるイオン濃度が、正負各々２，０００，０００個／ｃｍ3 になるように、イオン発生素子とイオン拡散させるファンとからなるイオン発生装置から１５ｃｍの位置に、ダメージ処理を施した毛髪サンプルを設置し２０分間照射した。サンプル位置での風速は８．４ｍ／ｓであった為、同じファンを用いて送風のみ行ったものを対照とした。
【００６０】
この様にして、毛髪サンプルの水分量の変化を計測した結果を図１０に示す。図１０に示すグラフは、正負イオンを含有する空気を当てた毛髪と、イオンを含まない空気のみを当てた毛髪との水分量を表している。
このグラフによると、正負イオンを照射した毛髪は、イオンを含まない空気のみを当てた毛髪と比較して約１１０．４％の水分量となった。イオンを照射した毛髪は、イオンを照射しないものに比べて水分量が増加する結果が得られた。
これにより、毛髪の場合、風速が強くても保湿できることが証明された。
【００６１】
（検証２）
以下に、イオン発生部１０ａ，１０ｂが生成させた正イオン、負イオンを含む空気と含まない空気とによるダメージ毛発生量の比較実験をしたので、その結果を説明する。
【００６２】
（実験方法）
＜ダメージ毛髪（人毛）サンプルの作製＞
約６０ｃｍ、５ｇの黒い毛髪束を，ポリオキシエチレン（ＰＯＥ）ラウリル硫酸ナトリウム１％水溶液に、３０〜３５℃で１分間浸漬させた。
流水にて水洗後、タオルで水分を拭き取った後，ドライヤーにて乾燥させた。
４．５％過酸化水素水及び２．５％アンモニア水の１：１混合液に、毛髪を２０分間浸漬させ、流水にて水洗後、タオルで水分を拭き取った後、ドライヤーにて乾燥させた。
【００６３】
＜イオン照射＞
室温２０±２℃、湿度５０±５％の部屋で、毛髪サンプルに照射されるイオン濃度が、正負各々３，０００，０００個／ｃｍ3 になるように、イオン発生素子とイオンを拡散させるファンとからなるイオン発生装置から１５ｃｍの位置に、ダメージ処理を施した毛髪サンプルを設置した。毛髪サンプルに１分当たり１００回の速さでブラッシングしながら１５分間イオンを温風（約１２５℃）で照射した。サンプル位置での風速は１４ｍ／ｓ〜１５ｍ／ｓであった為、同じファンを用いて送風のみ行ったものを対照とした。
＜ダメージ毛発生量の評価＞
処理を行った毛束を観察し、発生した枝毛および切れ毛を計数した。
【００６４】
この様にして、毛髪サンプルに発生したダメージ毛髪を計数した結果を図１１に示す。図１１に示すグラフは、正負イオンを含有する空気を当てた毛髪と、イオンを含まない空気のみを当てた毛髪との発生した枝毛および切れ毛の数を表している。
このグラフによると、正負イオンを照射した毛髪は、イオンを含まない空気のみを当てた毛髪と比較して、枝毛・切れ毛の数が約１／２となった。イオンを照射した毛髪は、イオンを照射しないものに比べて、ダメージが抑制される結果が得られた。
以上の結果は、本発明に係る毛髪の加湿及び損傷軽減方法が毛髪に水分を与え、毛髪の強度を向上させることに加え、正負両イオンを発生させる為、負に帯電するブラシ、正に帯電するブラシ両者を除電することができ、ブラッシング時の摩擦を低減できた結果である。
【００６５】
本発明に係る毛髪の加湿及び損傷軽減方法並びに毛髪の加湿及び損傷軽減装置は、ハンドドライヤー及び美容院等で使用する業務用髪乾燥機等に適用することにより、薬剤及びスチーム等を使用することなく、安全に簡単に毛髪の保湿ケアを行うとともにブラッシング時の傷害を軽減することが可能となる。
【符号の説明】
【００６６】
１  吐出口
２  吸入口
３  空気流路
３ａ，３ｂ  分流路
４  送風機構
６  操作スイッチ
１０，１０ｃ，２０４  イオン発生装置
１０ａ，１０ｂ  イオン発生部
１１ａ，１１ｂ  放電電極
１３  高圧電源部
２０  業務用ヘアドライヤー
２１  柄
２０１  ドーム筐体
２０２  送風機
２０７  開口
２０８  加湿部
２０４ａ  正イオン発生部
２０４ｂ  負イオン発生部
ＴＲ  スイッチング素子
【図１】
2015213843.tif 000003
【図２】
2015213843.tif 000004
【図３】
2015213843.tif 000005
【図４】
2015213843.tif 000006
【図５】
2015213843.tif 000007
【図６】
2015213843.tif 000008
【図７】
2015213843.tif 000009
【図８】
2015213843.tif 000010
【図９】
2015213843.tif 000011
【図１０】
2015213843.tif 000012
【図１１】
2015213843.tif 000013